(57)【要約】【課題】顎先等の特に肌の凸部分にフィットし易く効率良く（少ない往復動作で）良好な仕上がりを得ることができる電気かみそりを提供する。【解決手段】電気かみそりは、把持部と把持部の上端部に設けられたヘッド部１３とを備える。ヘッド部１３の上端には体毛を導入可能な外刃２０がヘッド部１３の前後方向Ｘに沿って複数並設され、外刃２０の内部側にはそれぞれ往復駆動可能で外刃２０内に導入された体毛を挟んで切除するための内刃が設けられる。そして、４つの外刃２０（ネット刃２１〜２４）は、上端同士が前後方向Ｘから見て幅方向Ｙの中間部の一箇所（点Ｋ）で交差するように設けられる。【選択図】図２
2011067422.tif 000002
【特許請求の範囲】
【請求項１】
把持部と該把持部の上端部に設けられたヘッド部とを備え、
前記ヘッド部の上端には体毛を導入可能な外刃が自身の短手方向であって前記ヘッド部の前後方向に沿って複数並設され、前記外刃の内部側にはそれぞれ前記外刃の長手方向であって前記ヘッド部の幅方向に沿って往復駆動可能で前記外刃内に導入された体毛を切除するための内刃が設けられた電気かみそりであって、
複数の前記外刃の内の少なくとも２つは、上端同士が前記前後方向から見て前記幅方向の一箇所で交差するように設けられたことを特徴とする電気かみそり。
【請求項２】
請求項１に記載の電気かみそりにおいて、
複数の前記外刃は、複数の同じ種類の外刃を含み、その同じ種類の外刃の上端同士が前記前後方向から見て前記幅方向の一箇所で交差するように設けられたことを特徴とする電気かみそり。
【請求項３】
請求項１又は２に記載の電気かみそりにおいて、
複数の前記外刃は、それぞれ上方に付勢された状態で下動可能に設けられるものであって、
前記ヘッド部における前記外刃の長手方向両側と対応した位置には、少なくとも１つの前記外刃の上方へのそれ以上の移動を規制するための上方規制部が設けられ、その上方規制部の上下方向の位置を前記長手方向の両側で異ならせることで、前記上端同士が前記前後方向から見て前記幅方向の一箇所で交差するようにしたことを特徴とする電気かみそり。
【請求項４】
請求項１又は２に記載の電気かみそりにおいて、
複数の前記外刃の内の少なくとも１つは、前記ヘッド部における前記幅方向の中間部で前記前後方向に沿った軸を中心に回動可能に支持され、前記幅方向の前記中間部から偏った位置で上下方向に付勢することで、前記上端同士が前記前後方向から見て前記幅方向の一箇所で交差するように設けられたことを特徴とする電気かみそり。
【請求項５】
請求項１乃至４のいずれか１項に記載の電気かみそりにおいて、
複数の前記外刃は、前記前後方向から見て全ての前記外刃の上端を組み合わせた上端形状が前記幅方向の中心線に対して対称となるように設けられたことを特徴とする電気かみそり。
【請求項６】
請求項１乃至５のいずれか１項に記載の電気かみそりにおいて、
前記前後方向から見て前記幅方向の一箇所で交差するように前記幅方向に対して傾斜した前記上端が前記幅方向に沿った状態となるように切り替えるための切替手段を備えたことを特徴とする電気かみそり。
【発明の詳細な説明】
【技術分野】
【０００１】
本発明は、髭等の体毛を剃るための電気かみそりに関するものである。
【背景技術】
【０００２】
電気かみそりとしては、ヘッド部の上端に体毛を導入可能な外刃がヘッド部の前後方向に沿って複数並設され、前記外刃の内部側にそれぞれヘッド部の幅方向に沿って往復駆動可能で外刃内に導入された体毛を挟んで切除するための内刃が設けられたものがある。そして、このような電気かみそりとしては、前後方向に一対（２つ）の外刃が設けられ、それら外刃の長手方向（幅方向）一端部同士及び他端部同士がそれぞれ連結されて、例えば一方の外刃の一端部が上下動すると、他方の外刃の一端部が逆方向に上下動するものがある（例えば、特許文献１参照）。このような電気かみそりでは、肌の凹凸によっては一方の外刃と他方の外刃が互い違いに（逆向きに）傾斜して肌にフィットして効率良く（少ない往復動作で）良好な仕上がりを得ることができる。
【先行技術文献】
【特許文献】
【０００３】
【特許文献１】特開平５−８４３６４号公報（図５（Ｂ）参照）
【発明の概要】
【発明が解決しようとする課題】
【０００４】
しかしながら、上記のような電気かみそりでは、２つの外刃が互い違いに（逆向きに）傾斜可能ではあるが、例えば、一方（前方）の外刃の長手方向（幅方向）一端部と強く接触しつつ他方（後方）の外刃の長手方向（幅方向）他端部と強く接触するような肌形状は少なく、そのようには傾斜し難い。よって、効率良く（少ない往復動作で）良好な仕上がりが得難かった。
【０００５】
本発明は、上記課題を解決するためになされたものであって、その目的は、顎先等の特に肌の凸部分にフィットし易く効率良く（少ない往復動作で）良好な仕上がりを得ることができる電気かみそりを提供することにある。
【課題を解決するための手段】
【０００６】
上記課題を解決するために、請求項１に記載の発明では、把持部と該把持部の上端部に設けられたヘッド部とを備え、前記ヘッド部の上端には体毛を導入可能な外刃が自身の短手方向であって前記ヘッド部の前後方向に沿って複数並設され、前記外刃の内部側にはそれぞれ前記外刃の長手方向であって前記ヘッド部の幅方向に沿って往復駆動可能で前記外刃内に導入された体毛を切除するための内刃が設けられた電気かみそりであって、複数の前記外刃の内の少なくとも２つは、上端同士が前記前後方向から見て前記幅方向の一箇所で交差するように設けられたことを要旨とする。
【０００７】
同構成によれば、複数の外刃の内の少なくとも２つは、上端同士が前後方向から見て幅方向の一箇所で交差するように設けられるため、顎先等の特に肌の凸部分に自然とフィットし易く、効率良く（少ない往復動作で）良好な仕上がりを得ることができる。
【０００８】
請求項２に記載の発明では、請求項１に記載の電気かみそりにおいて、複数の前記外刃は、複数の同じ種類の外刃を含み、その同じ種類の外刃の上端同士が前記前後方向から見て前記幅方向の一箇所で交差するように設けられたことを要旨とする。
【０００９】
同構成によれば、同じ種類の外刃の上端同士が前後方向から見て幅方向の一箇所で交差するように設けられるため、交差した点から幅方向両方に同じ種類の外刃が配置されることになり、更に効率良く（少ない往復動作で）良好な仕上がりを得ることができる。
【００１０】
請求項３に記載の発明では、請求項１又は２に記載の電気かみそりにおいて、複数の前記外刃は、それぞれ上方に付勢された状態で下動可能に設けられるものであって、前記ヘッド部における前記外刃の長手方向両側と対応した位置には、少なくとも１つの前記外刃の上方へのそれ以上の移動を規制するための上方規制部が設けられ、その上方規制部の上下方向の位置を前記長手方向の両側で異ならせることで、前記上端同士が前記前後方向から見て前記幅方向の一箇所で交差するようにしたことを要旨とする。
【００１１】
同構成によれば、上方規制部の上下方向の位置を長手方向の両側で異ならせるといった簡単な具体的構成で、請求項１又は２に記載の発明の効果を得ることができる。
請求項４に記載の発明では、請求項１又は２に記載の電気かみそりにおいて、複数の前記外刃の内の少なくとも１つは、前記ヘッド部における前記幅方向の中間部で前記前後方向に沿った軸を中心に回動可能に支持され、前記幅方向の前記中間部から偏った位置で上下方向に付勢することで、前記上端同士が前記前後方向から見て前記幅方向の一箇所で交差するように設けられたことを要旨とする。
【００１２】
同構成によれば、外刃をヘッド部における幅方向の中間部で前後方向に沿った軸を中心に回動可能に支持し、幅方向の中間部から偏った位置で上下方向に付勢するといった簡単な具体的構成で、請求項１又は２に記載の発明の効果を得ることができる。
【００１３】
請求項５に記載の発明では、請求項１乃至４のいずれか１項に記載の電気かみそりにおいて、複数の前記外刃は、前記前後方向から見て全ての前記外刃の上端を組み合わせた上端形状が前記幅方向の中心線に対して対称となるように設けられたことを要旨とする。
【００１４】
同構成によれば、複数の外刃は、前後方向から見て全ての外刃の上端を組み合わせた上端形状が幅方向の中心線に対して対称となるように設けられるため、顎先等の特に左右対称な肌の凸部分に自然とフィットし易く、効率良く（少ない往復動作で）良好な仕上がりを得ることができる。
【００１５】
請求項６に記載の発明では、請求項１乃至５のいずれか１項に記載の電気かみそりにおいて、前記前後方向から見て前記幅方向の一箇所で交差するように前記幅方向に対して傾斜した前記上端が前記幅方向に沿った状態となるように切り替えるための切替手段を備えたことを要旨とする。
【００１６】
同構成によれば、例えば局所を狙って剃りたい場合には切替手段にて、前記前後方向から見て前記幅方向の一箇所で交差するように前記幅方向に対して傾斜した前記上端を前記幅方向に沿った状態に切り替えることで、局所が狙い易くなり、該局所の体毛も良好に切除することができる。
【発明の効果】
【００１７】
本発明によれば、顎先等の特に肌の凸部分にフィットし易く効率良く（少ない往復動作で）良好な仕上がりを得ることができる電気かみそりを提供することができる。
【図面の簡単な説明】
【００１８】
【図１】本実施形態における電気かみそりの模式斜視図。
【図２】（ａ）本実施の形態におけるヘッド部の模式左側面図。（ｂ）同じくヘッド部の模式正面図。（ｃ）同じくヘッド部の模式右側面図。
【図３】別例における電気かみそりの模式斜視図。
【図４】（ａ）別例におけるヘッド部の模式左側面図。（ｂ）同じくヘッド部の模式正面図。（ｃ）同じくヘッド部の模式右側面図。
【図５】別例における電気かみそりの模式斜視図。
【図６】（ａ）別例におけるヘッド部の模式左側面図。（ｂ）同じくヘッド部の模式正面図。（ｃ）同じくヘッド部の模式右側面図。
【図７】別例における電気かみそりの模式斜視図。
【図８】（ａ）別例におけるヘッド部の模式右側面図。（ｂ）同じくヘッド部の模式背面図。（ｃ）同じくヘッド部の模式左側面図。
【図９】（ａ）別例におけるヘッド部の模式右面図。（ｂ）同じくヘッド部の模式背面図。（ｃ）同じくヘッド部の模式左側面図。
【図１０】別例におけるヘッド部の模式平面図。
【図１１】別例におけるヘッド部の模式正面図。
【発明を実施するための形態】
【００１９】
以下、本発明を具体化した一実施の形態を図１及び図２に従って説明する。
図１に示すように、本実施の形態の髭用の電気かみそり１１は、使用者が把持可能な把持部１２と、該把持部１２の上端部に設けられたヘッド部１３とを備える。本実施の形態のヘッド部１３は、把持部１２に対して、例えば、前後方向Ｘ（剃り方向）に沿う軸（Ｘ軸）を中心とする左右傾動動作と、幅方向Ｙ（剃り方向の直交方向）に沿う軸（Ｙ軸）を中心とする前後傾動動作と、上下（高さ）方向Ｚへの往復動作（振動）の各動作をすることが可能となるように設けられている。尚、電気かみそり１１の前後方向Ｘ、幅方向Ｙ、及び上下（高さ）方向Ｚは、それぞれ互いに直交する方向である。
【００２０】
ヘッド部１３の上端、詳しくはヘッドケース１３ａの上端開口部には、体毛を導入可能な外刃２０が自身の短手方向であってヘッド部１３の前後方向Ｘに沿って複数並設されている。又、ヘッド部１３において、各外刃２０の内部側にはそれぞれ外刃２０の長手方向であって前記ヘッド部１３の幅方向Ｙに略沿って往復駆動可能で外刃２０内に導入された体毛を挟んで切除するための内刃３０が設けられている。尚、内刃３０は、図示しない樹脂支持枠に固定されて該樹脂支持枠と共に内刃ブロックを構成し、その樹脂支持枠が前記幅方向Ｙに沿って往復駆動可能な図示しない駆動軸に連結されて設けられている。
【００２１】
ここで、外刃２０は、図示しない樹脂支持枠に固定されて該樹脂支持枠と共に外刃ブロックを構成し、その樹脂支持枠がヘッドケース１３ａに対して上下動可能に支持されるとともにばねＢ（図２参照）にて上方に付勢されることで、上方からの圧力にて下動可能に設けられている。
【００２２】
詳しくは、ヘッド部１３のヘッドケース１３ａにおける各外刃２０（外刃ブロック）の長手方向両側と対応した位置には、それぞれ幅方向Ｙに貫通する規制孔４１ａ，４１ｂ〜４５ａ，４５ｂが形成されている。一方、各外刃２０（外刃ブロック）の長手方向両側には、前記規制孔４１ａ，４１ｂ〜４５ａ，４５ｂ内に上下動可能にそれぞれ挿入される係合凸部２０ａが（詳しくは、各外刃２０と一体的に設けられる樹脂支持枠に）凸設されている。そして、外刃２０の長手方向両側において該外刃２０（外刃ブロック）の下面とヘッドケース１３ａとの間に上下方向に圧縮状態で介在されるばねＢ（図２参照）にて外刃２０（外刃ブロック）が上方に付勢されることで、同外刃２０（外刃ブロック）は上方からの圧力にて下動可能とされている。
【００２３】
そして、その初期状態（下動されていない状態）において複数の外刃２０の内の少なくとも２つは、上端同士が前後方向から見て幅方向Ｙの中間部の一箇所（図２（ｂ）中、点Ｋ）で交差するように設けられている。本実施の形態では、規制孔４１ａ，４１ｂ〜４４ａ，４４ｂの上方の内面である上方規制部４１ｃ，４１ｄ〜４４ｃ，４４ｄの上下方向の位置を前記長手方向（幅方向Ｙ）の両側で異ならせることで、前記上端同士が前後方向から見て幅方向Ｙの中間部（図２（ｂ）中、点Ｋ）で交差するようにしている。
【００２４】
又、本実施の形態の外刃２０は、前記前後方向Ｘに沿って５つ並設され、所謂５枚刃とされている。そして、同じ種類の外刃２０の上端同士が前後方向から見て幅方向Ｙの中間部（図２（ｂ）中、点Ｋ）で交差するように設定されている。
【００２５】
詳しくは、５つの外刃２０は、前記前後方向Ｘの両端及びその両端から２番目に配置されるものが網目状（図示略）のネット刃２１〜２４とされ、前後方向Ｘの中心に配置されるものが自身の短手方向（前後方向Ｘ）に沿ったスリット（図示略）を有するスリット刃２５とされている。尚、前記ネット刃２１〜２４は、短毛が剃りやすいように網目状とされたものである。詳しくは、前後方向Ｘの両端の通常のネット刃２１，２２は、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが略一定に設定されたものである。又、前後方向Ｘの両端から２番目の仕上げ用のネット刃２３，２４は、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが部分的に（例えば第２外刃部のみが）薄く形成され、短いくせ髭等においても剃れやすいように形成されたものである。又、前記スリット刃２５は、長毛が剃りやすいように前後方向Ｘ（外刃２０の並設方向）に沿って延びるスリットの長さや幅が設定されたものである。
【００２６】
そして、同じ種類である前後方向Ｘの両端の通常のネット刃２１，２２の上端同士が前後方向から見て、互いに逆方向に傾斜して、幅方向Ｙの中間部（図２（ｂ）中、点Ｋ）で交差するように対応する前記上方規制部４１ｃ，４１ｄ，４２ｃ，４２ｄの上下方向の位置が幅方向Ｙの両側で異なるように設定されている。即ち、本実施の形態では、前端のネット刃２１と対応する上方規制部４１ｃ，４１ｄは、前方から見て（図２（ｂ）参照）ネット刃２１が右上がりとなるように、右側の上方規制部４１ｃが高く、左側の上方規制部４１ｄが低く形成されている。又、後端のネット刃２２と対応する上方規制部４２ｃ，４２ｄは、前方から見て（図２（ｂ）参照）ネット刃２２が右下がりとなるように、右側の上方規制部４２ｃが低く、左側の上方規制部４２ｄが高く形成されている。
【００２７】
又、同じ種類である前後方向Ｘの両端から２番目の仕上げ用のネット刃２３，２４の上端同士が前後方向から見て、互いに逆方向に傾斜して、幅方向Ｙの中間部（図２（ｂ）中、点Ｋ）で交差するように対応する前記上方規制部４３ｃ，４３ｄ，４４ｃ，４４ｄの上下方向の位置が幅方向Ｙの両側で異なるように設定されている。即ち、本実施の形態では、前端から２番目のネット刃２３と対応する上方規制部４３ｃ，４３ｄは、前方から見て（図２（ｂ）参照）ネット刃２３が右下がりとなるように、右側の上方規制部４３ｃが低く、左側の上方規制部４３ｄが高く形成されている。又、後端から２番目のネット刃２４と対応する上方規制部４４ｃ，４４ｄは、前方から見て（図２（ｂ）参照）ネット刃２４が右上がりとなるように、右側の上方規制部４４ｃが高く、左側の上方規制部４４ｄが低く形成されている。
【００２８】
又、本実施の形態では、上記構成により、前方側の２つのネット刃２１，２３の上端同士、及び後方側の２つのネット刃２２，２４の上端同士も、前後方向から見て幅方向Ｙの中間部（図２（ｂ）中、点Ｋ）でそれぞれ交差するように設定されている。
【００２９】
又、本実施の形態では、スリット刃２５は、前後方向から見て、傾斜しないように（言い換えると幅方向Ｙと沿うように）、対応する前記上方規制部４５ｃ，４５ｄの上下方向の位置が幅方向Ｙの両側で同じとなるように設定されている。
【００３０】
又、複数（５つ）の外刃２０は、前後方向から見て（図２（ｂ）参照）全ての外刃２０の上端を組み合わせた上端形状が前記幅方向Ｙの中心線Ｌに対して対称となるように設定されている。尚、本実施の形態では、ネット刃２１〜２４の傾斜角度が逆向きでありながらも同じ角度とされることで、全ての外刃２０の上端を組み合わせた前記上端形状が中心線Ｌに対して対称とされている。
【００３１】
次に、上記実施の形態の特徴的な作用効果を以下に記載する。
（１）４つの外刃２０（ネット刃２１〜２４）は、上端同士が前後方向Ｘから見て幅方向Ｙの中間部の一箇所（図２（ｂ）中、点Ｋ）で交差するように設けられるため、顎先等の特に肌の凸部分に自然とフィットし易く、効率良く（少ない往復動作で）良好な仕上がりを得ることができる。
【００３２】
（２）同じ種類の外刃２０（通常のネット刃２１，２２と、仕上げ用のネット刃２３，２４）の上端同士が前後方向Ｘから見て幅方向Ｙの中間部で交差するように設けられるため、交差した点Ｋから幅方向両方に同じ種類の外刃２０が配置されることになり、更に効率良く（少ない往復動作で）良好な仕上がりを得ることができる。即ち、異なる種類の外刃の上端同士を交差させただけの構成では、交差した点から幅方向両方に異なる種類の外刃が配置され、交差した点から幅方向両方で異なる剃り具合となってしまうが、上記構成では交差した点から幅方向両方で同様の剃り具合を得ることができるため、更に効率良く（少ない往復動作で）良好な仕上がりを得ることができる。
【００３３】
（３）上方規制部４１ｃ，４１ｄ〜４４ｃ，４４ｄの上下方向の位置を幅方向Ｙ（長手方向）の両側で異ならせることで、前記上端同士が前後方向Ｘから見て幅方向Ｙの中間部（図２（ｂ）中、点Ｋ）で交差するようにしたため、簡単な具体的構成で上記効果（１），（２）を得ることができる。
【００３４】
（４）複数（５つ）の外刃２０は、前後方向から見て（図２（ｂ）参照）全ての外刃２０の上端を組み合わせた上端形状が前記幅方向Ｙの中心線Ｌに対して対称となるように設けられるため、顎先等の特に左右対称な肌の凸部分に自然とフィットし易く、効率良く（少ない往復動作で）良好な仕上がりを得ることができる。
【００３５】
上記実施の形態は、以下のように変更してもよい。
・上記実施の形態の外刃２０の配置は、複数の外刃２０の内の少なくとも２つの上端同士が前後方向Ｘから見て幅方向Ｙの中間部の一箇所で交差するように設けられれば、変更してもよい。
【００３６】
例えば、図３及び図４に示すように変更してもよい。この例では、前方側の２つのネット刃２１，２３の上端同士、及び後方側の２つのネット刃２２，２４の上端同士が、前後方向から見て幅方向Ｙの中間部（図４（ｂ）中、点Ｋ）でそれぞれ交差するものの、同じ種類の外刃２０（通常のネット刃２１，２２と、仕上げ用のネット刃２３，２４）の上端同士は前後方向から見て一致し、交差していない。より詳しくは、この例（図３及び図４参照）では、後端のネット刃２２と対応する上方規制部４２ｃ，４２ｄは、前方から見て（図４（ｂ）参照）ネット刃２２が右上がりとなるように、右側の上方規制部４２ｃが高く、左側の上方規制部４２ｄが低く形成されている点が上記実施の形態（図１及び図２参照）と異なる。又、後端から２番目のネット刃２４と対応する上方規制部４４ｃ，４４ｄは、前方から見て（図４（ｂ）参照）ネット刃２４が右下がりとなるように、右側の上方規制部４４ｃが低く、左側の上方規制部４４ｄが高く形成されている点が上記実施の形態（図１及び図２参照）と異なる。このようにしても、上記実施の形態の効果（１），（３），（４）と略同様の効果を得ることができる。
【００３７】
又、例えば、図５及び図６に示すように変更してもよい。この例では、前後方向Ｘの両端から２番目の仕上げ用のネット刃２３，２４の上端同士が前後方向から見て幅方向Ｙの中間部（図６（ｂ）中、点Ｋ）で交差するものの、前後方向Ｘの両端の通常のネット刃２１，２２の上端は前後方向から見て傾斜しないように（言い換えると幅方向Ｙと沿うように）設けられ、一致し、交差していない。より詳しくは、この例（図５及び図６参照）では、前後方向Ｘの両端の通常のネット刃２１，２２は、前後方向から見て、傾斜しないように（言い換えると幅方向Ｙと沿うように）、対応する前記上方規制部４１ｃ，４１ｄ，４２ｃ，４２ｄの上下方向の位置が幅方向Ｙの両側で同じとされている点が上記実施の形態（図１及び図２参照）と異なる。このようにしても、上記実施の形態の効果と略同様の効果を得ることができる。
【００３８】
又、例えば、上記実施の形態では、外刃２０は、前後方向Ｘに沿って５つ並設された所謂５枚刃であるとしたが、複数（所謂２枚刃以上）であればよく、その内の少なくとも２つの上端同士が前後方向Ｘから見て幅方向Ｙの中間部の一箇所で交差するように設けられれば変更してもよい。
【００３９】
又、例えば、上記実施の形態では、スリット刃２５が１つであるとしたが、スリット刃２５を複数とし、そのスリット刃２５の上端同士が前後方向Ｘから見て幅方向Ｙの中間部の一箇所で交差するように設けてもよい。又、勿論、上記した以外の種類の外刃を備えた構成としてもよく、更にそれらも含めて、その内の少なくとも２つの上端同士が前後方向Ｘから見て幅方向Ｙの中間部の一箇所で交差するように設けられれば変更してもよい。
【００４０】
・上記実施の形態及び別例の電気かみそりに、前記前後方向Ｘから見て前記幅方向Ｙの中間部で交差するように前記幅方向Ｙに対して傾斜した前記上端が前記幅方向Ｙに沿った状態となるように切り替えるための切替手段を備えてもよい。例えば、上記別例（図５及び図６参照）を、図７〜図９に示すように変更してもよい。この例では、ヘッドケース１３ａに切替手段としての切替レバー５１が設けられ、切替レバー５１を操作することで後端から２番目のネット刃２４が前記幅方向Ｙに沿った（傾斜していない）状態に切り替え可能とされている。
【００４１】
詳しくは、切替レバー５１は、ヘッドケース１３ａの背面上の幅方向Ｙの中心位置において前後方向Ｘに沿った軸Ｐ中心で回動可能に設けられ、その幅方向両端に前記規制孔４４ａ，４４ｂに上下動可能に外部から挿入されてその下面が（上記実施の形態の上方規制部４４ｃ，４４ｄに換わって）上方規制部Ｊ１，Ｊ２を構成する可動規制部５１ａ，５１ｂを有する。又、この例では、規制孔４４ａ，４４ｂの上方の内面が上記別例（図５及び図６参照）に比べて上方となるように形成されている。そして、通常状態においては図７及び図８に示すように、上記別例（図５及び図６参照）と同様の状態となるように、後方から見て（図８（ｂ）参照）ネット刃２４が右下がりとなるように、後方から見て右側（左側面）の可動規制部５１ｂ（上方規制部Ｊ２）が低く、左側（右側面）の可動規制部５１ａ（上方規制部Ｊ１）が高くなるようにしている。そして、切替レバー５１を、図９に示すように、軸Ｐ中心で回動操作して、可動規制部５１ａ，５１ｂ（上方規制部Ｊ１，Ｊ２）の上下方向の位置を互いに同じとなるようにすることで、ネット刃２４の上端が前記幅方向Ｙに沿った（傾斜していない）状態に切り替え可能とされている。このようにすると、例えば局所を狙って剃りたい場合には切替レバー５１にて、ネット刃２４の上端を前記幅方向Ｙに沿った（傾斜していない）状態に切り替えることで、局所が狙い易くなり、該局所の体毛も良好に切除することが可能となる。尚、図示は省略するが、例えば、ヘッドケース１３ａ及び切替レバー５１には、切替レバー５１が各状態でヘッドケース１３ａに対して保持されるように互いに係合する係合保持部を設けることが望ましい。又、勿論、同様な状態に切り替えることができれば切替レバー５１は他の構成の切替手段に変更してもよい。更に勿論、他の電気かみそり（例えば、上記実施の形態や別例における電気かみそり）において、各外刃２０の上端を前記幅方向Ｙに沿った（傾斜していない）状態に切り替え可能としてもよい。
【００４２】
・上記実施の形態では、上方規制部４１ｃ，４１ｄ〜４４ｃ，４４ｄの上下方向の位置を幅方向Ｙ（長手方向）の両側で異ならせることで、前記上端同士が前後方向Ｘから見て幅方向Ｙの中間部（図２（ｂ）中、点Ｋ）で交差するようにしたが、交差させることができれば、他の構成に変更してもよい。
【００４３】
例えば、図１０及び図１１に示すように変更してもよい。この例では、複数（３つ）の外刃２０（ネット刃２１，２３及びスリット刃２５）の内の前後方向Ｘの両端のネット刃２１，２３は、ヘッド部１３（ヘッドケース１３ａ）における幅方向Ｙの中間部（中心位置）で前後方向Ｘに沿った軸Ｑ中心に回動可能に支持されている。そして、ネット刃２１，２３は、幅方向Ｙの中間部（中心位置）からそれぞれ異なる方向に偏った位置でばねＢａ，Ｂｂにて上下方向に付勢されることで、前記上端同士が前後方向Ｘから見て幅方向Ｙの中間部（図１１中、点Ｋ）で交差するように設けられている。このようにしても、簡単な具体的構成で顎先等の特に肌の凸部分に自然とフィットし易く、効率良く（少ない往復動作で）良好な仕上がりを得ることができる。
【００４４】
・上記実施の形態では、複数（５つ）の外刃２０は、前後方向から見て（図２（ｂ）参照）全ての外刃２０の上端を組み合わせた上端形状が前記幅方向Ｙの中心線Ｌに対して対称となるように設けられるとしたが、これに限定されず、中心線Ｌに対して非対称となるように設けてもよい。
【００４５】
・上記実施の形態では、特に言及していないが、１つの外刃２０に対する長手方向（幅方向）両側のばねＢのばね定数を異ならせてもよい。
・上記実施の形態では、特に言及していないが、外刃２０の上端は、前後方向Ｘから見て直線形状（図面上では直線形状）でもよいし、（上方に凸の）湾曲した形状（円弧形状）としてもよい。
【００４６】
・上記実施の形態では、髭用の電気かみそり１１に適用したが、髭以外の体毛の切除を行う電気かみそりに適用してもよい。
【符号の説明】
【００４７】
１２…把持部、１３…ヘッド部、２０…外刃、２１〜２４…外刃の１つであるネット刃、２５…外刃の１つであるスリット刃、３０…内刃、４１ｃ，４１ｄ〜４４ｃ，４４ｄ，Ｊ１，Ｊ２…上方規制部、５１…切替レバー（切替手段）、Ｌ…中心線、Ｘ…前後方向、Ｙ…幅方向、Ｚ…上下方向。
【図１】
2011067422.tif 000003
【図２】
2011067422.tif 000004
【図３】
2011067422.tif 000005
【図４】
2011067422.tif 000006
【図５】
2011067422.tif 000007
【図６】
2011067422.tif 000008
【図７】
2011067422.tif 000009
【図８】
2011067422.tif 000010
【図９】
2011067422.tif 000011
【図１０】
2011067422.tif 000012
【図１１】
2011067422.tif 000013